(57)【要約】【課題】既設の建築物の頂上部に設置可能なパネル分割型流体式制振装置を提供する。【解決手段】水平部３と水平部３の両端部に設けられる立ち上り部６、６とからなるＵ型状の水槽２を備え、水槽２の内部に所定量の水が充填され、水の両端部が開放又は同両端部に所定の容積の空気層が形成される。水槽２は、パネル１０、フレーム５、梁材８、トラス材９、シール材等の部品を組み合わせて構成される。既設の建築物のエレベータ等を利用して構成部品を頂上部に運搬し、頂上部において組み立てて水槽２を構成する。【選択図】　　　　図１
2004132393.tif 000002
【特許請求の範囲】
【請求項１】
水平部と該水平部の両端部に設けられる立ち上り部とからなるＵ型状の水槽を備え、該水槽の内部に所定量の水が充填され、該水の両端部を開放又は同両端部に所定の容積の空気層が形成されるパネル分割型流体式制振装置であって、前記水槽を、複数のパネルを組み合わせて構成したことを特徴とするパネル分割型流体式制振装置。
【請求項２】
請求項１に記載のパネル分割型流体式制振装置であって、前記水槽の剛性を高める補強部材を設けたことを特徴とするパネル分割型流体式制振装置。
【請求項３】
請求項２に記載のパネル分割型流体式制振装置であって、前記補強部材は、隣接するパネル間の接合部に設けられるフレームであることを特徴とするパネル分割型流体式制振装置。
【請求項４】
請求項２に記載のパネル分割型流体式制振装置であって、前補強部材は、前記水槽の立ち上り部間を水平方向に連結する梁材であることを特徴とするパネル分割型流体式制振装置。
【請求項５】
請求項２に記載のパネル分割型流体式制振装置であって、前補強部材は、前記水槽内に設けられる柱又は斜材、引張材を含むステーであることを特徴とするパネル分割型流体式制振装置。
【請求項６】
請求項２に記載のパネル分割型流体式制振装置であって、前記補強部材は、前記水槽の上端部間を斜め方向に連結するトラス材であることを特徴とするパネル分割型流体式制振装置。
【請求項７】
請求項２から６の何れかに記載のパネル分割型流体式制振装置であって、前記補強部材は、複数に分割されていることを特徴とするパネル分割型流体式制振装置。
【請求項８】
請求項１から７の何れかに記載のパネル分割型流体式制振装置であって、隣接するパネル間に、それらの間をシールするシール材を設けたことを特徴とするパネル分割型流体式制振装置。
【発明の詳細な説明】
【０００１】
【発明の属する技術分野】
本発明は、ビル等の高層建築物の振動を抑制するパネル分割型流体式制振装置に関し、特に、既設のビル等の高層建築物の頂上部に設置することが可能なパネル分割型流体式制振装置に関するものである。
【０００２】
【従来の技術】
近年、ビル等の建築物の頂上部に制振用の水槽を備えた流体式制振装置を設置し、強風時に、地震発生時等に建築物に生じる振動を抑制することが行われている。
【０００３】
すなわち、強風時に、地震発生時等に建築物に振動が生じたときに、その振動に追従させて流体式制振装置の水槽内の水に流体運動を行わせ、この水の流体運動に対して水の両端部を開放、又は同両端部の空気層を空気ばねとして作用させることにより、建築物に生じる振動を抑制している（例えば、特許文献１参照。）。
【０００４】
【特許文献１】
特開２０００−１２０７７１号公報　（第３ー５頁、図１ー図１０）
【０００５】
【発明が解決しようとする課題】
ところで、上記のような構成の流体式制振装置にあっては、全体を一体に形成し、又はブロックに分けて形成し、建築物の建設時に使用するクレーンを利用して建築物の頂上部に吊り上げ、一体物はそのまま設置し、ブロックに分けたものはブロック同士を溶接によりに接合して設置している。
【０００６】
しかしながら、上記のような構成の流体式制振装置にあっては、ブロックに分けたものの場合には、頂上部において行う溶接作業に熟練を要し、また作業にも手間がかかるため、設置費用が高く付く。また、全体が大型で、重量も重いために、建設用のクレーンが設置されていない既設の建築物の場合には、クレーンの代わりに建築物に設置されているエレベータや作業用のゴンドラ等を利用して頂上部に運搬することができず、既設の建築物には設置することができないのが現状であった。
【０００７】
本発明は、上記のような従来の問題に鑑みなされたものであって、既設の建築物であっても、頂上部に容易に設置することができるとともに、設置費用を安く抑えることができるパネル分割型流体式制振装置を提供することを目的とするものである。
【０００８】
【課題を解決するための手段】
本発明は、上記のような課題を解決するために、以下のような手段を採用している。すなわち、請求項１に係る発明は、水平部と該水平部の両端部に設けられる立ち上り部とからなるＵ型状の水槽を備え、該水槽の内部に所定量の水が充填され、該水の両端部を開放又は同両端部に所定の容積の空気層が形成されるパネル分割型流体式制振装置であって、前記水槽を、複数のパネルを組み合わせて構成したことを特徴とする。
この発明によるパネル分割型流体式制振装置によれば、水槽は、複数のパネルを組み合わせて構成されることになるので、既設の建築物の頂上部に設置する場合に、水槽を複数のパネルに分解した状態で既設のエレベータ等を利用して頂上部に運搬し、頂上部において複数のパネルを組み合わせることにより、頂上部に水槽を設置することができる。
【０００９】
請求項２に係る発明は、請求項１に記載のパネル分割型流体式制振装置であって、前記水槽の剛性を高める補強部材を設けたことを特徴とする。
この発明によるパネル分割型流体式制振装置によれば、複数のパネルを組み合わせて構成される水槽は、補強部材によって剛性が高められることになるので、建築物に生じる振動に追従して水槽内の水が流体運動を行う際に、その流体運動によって水槽が変形するようなことはない。
【００１０】
請求項３に係る発明は、請求項２に記載のパネル分割型流体式制振装置であって、前記補強部材は、隣接するパネル間の接合部に設けられるフレームであることを特徴とする。
この発明によるパネル分割型流体式制振装置によれば、複数のパネルを組み合わせて構成される水槽は、隣接するパネル間の接合に設けられるフレームによって補強され、剛性が高められることになる。
【００１１】
請求項４に係る発明は、請求項２に記載のパネル分割型流体式制振装置であって、前補強部材は、前記水槽の立ち上り部間を水平方向に連結する梁材であることを特徴とする。
この発明によるパネル分割型流体式制振装置によれば、複数のパネルを組み合わせて構成される水槽は、水槽の上端部間を水平方向に連結する梁材によって補強され、剛性が高められ、水槽の上端部間が外に広がったり、内に狭まったりするようなことはない。
【００１２】
請求項５に係る発明は、請求項２に記載のパネル分割型流体式制振装置であって、前補強部材は、前記水槽内に設けられる柱又は斜材、引張材を含むステーであることを特徴とする
この発明によるパネル分割型流体式制振装置によれば、水槽が柱又はステーによって補強され、該水槽の剛性が高められる。
【００１３】
請求項６に係る発明は、請求項２に記載のパネル分割型流体式制振装置であって、前記補強部材は、前記水槽の上端部間を斜め方向に連結するトラス材であることを特徴とする。
この発明によるパネル分割型流体式制振装置によれば。複数のパネルを組み合わせて構成される水槽は、水槽の上端部間を斜め方向に連結するトラス材によって補強され、剛性が高められることになる。
【００１４】
請求項７に係る発明は、請求項２から６の何れかに記載のパネル分割型流体式制振装置であって、前記補強部材は、複数に分割されていることを特徴とする。この発明によるパネル分割型流体式制振装置によれば、水槽を補強するフレーム、梁材、及びトラス材は、複数に分割されることになるので、それらの運搬が容易となり、既設の建築物に設置されているエレベータ等で運搬することが可能となる。
【００１５】
請求項８に係る発明は、請求項１から７の何れかに記載のパネル分割型流体式制振装置であって、隣接するパネル間に、それらの間をシールするシール材を設けたことを特徴とする。
この発明によるパネル分割型流体式制振装置によれば、複数のパネルを組み合わせて構成される水槽の隣接するパネル間は、それらの間に設けられるシール材によってシールされ、水槽の内部に充填される水が外部に漏れるのを防止できる。
【００１６】
【発明の実施の形態】
以下、図面に示す本発明の実施の形態について説明する。
図１には、本発明によるパネル分割型流体式制振装置の第１の実施の形態が示されていて、このパネル分割型流体式制振装置１は、ビル等の高層建築物の頂上部に設置されて、地震発生時等に高層建築物に生じる振動を減衰するために用いられるものであって、Ｕ型状の水槽２を備えている。
【００１７】
水槽２は、水平方向を向く水平部３と、水平部３の両端部に一体に設けられる垂直方向を向く立ち上り部６、６とを有し、両立ち上り部６、６は水平部３を介して相互に連通するようになっている。
【００１８】
水平部３は、補強部材であるフレーム５（Ｌ形鋼、Ｉ形鋼等）を格子状に組み合わせて水平部骨組み４を形成し、この水平部骨組み４の隣接するフレーム５、５によって囲まれる部分にそれぞれ板状のパネル１０を嵌め込み、各パネル１０を図２又は図３に示すようにボルト・ナット１５によりフレーム５側に固定して構成したものである。パネル１０は、図３に図示するように、剛性を確保するために、凹部１０ａを有する凹型パネルでも良い。
【００１９】
立ち上り部６は、水平部骨組み４の両端部に補強部材であるフレーム５（Ｌ形鋼、Ｉ形鋼等）を格子状に組み合わせて立ち上り部骨組７みを形成し、この立ち上り部骨組み７の隣接するフレーム５、５によって囲まれる部分にそれぞれ板状のパネル１０を嵌め込み、各パネル１０を図２又は図３に示すようにボルト・ナット１５によりフレーム５側に固定して構成したものである。
【００２０】
両立ち上り部６、６の上端部間には、Ｌ形鋼、Ｉ形鋼等からなる補強部材である梁材８が水平に架設されるとともに、この梁材８と各立ち上り部６の根元部のフレーム５との間には、Ｌ形鋼、Ｉ形鋼等からなる補強部材であるトラス材９が斜めに架設され、これらの梁材８及びトラス材９によって両立ち上り部６、６が補強され、両立ち上り部６、６が外に広がったり、内に狭まったりするのが防止される。なお、梁材８及びトラス材９は、必要に応じて設ければよいものである。
【００２１】
水平部骨組み４及び立ち上り部骨組み７を構成するフレーム５は、複数に分割され、隣接するもの同士がボルト・ナット（図示せず）により一体に連結されるようになっている。
【００２２】
各パネル１０をフレーム５に連結するには、例えば、フレーム５にＩ形鋼を用いた場合には、図２に示すように、Ｉ形鋼からなるフレーム５、５間にパネル１０を嵌め込み、パネル１０とフレーム５との間にシール材であるゴム状弾性体からなるパッキン１２を介装させ、パネル１０をボルト・ナット１５によりフレーム５側に固定する。この場合、パネル１０、１０間の接合部の内面側にテープ状のシール材１３を貼着し、パネル１０間の接合部をパッキン１２とテープ状のシール材１３とにより二重にシールし、水槽２内の水が接合部から外部に漏れるのを完全に防止する。
【００２３】
また、フレーム５にＬ形鋼を用いた場合には、図３に示すように、各パネル１０の周囲に外方に突出するフランジ１１を一体に設け、隣接するパネル１０のフランジ１１同士を互いに重ね合わせ、この状態で両フランジ１１、１１をボルト・ナット１５によりフレーム５に固定する。この場合、両フランジ１１、１１間にシール材であるゴム状弾性体からなるパッキン１２を介装させ、パネル１０間の接合部の内面側にテープ状のシール材１３を貼着し、水槽２内の水が接合部から外部に漏れるのを完全に防止する。
【００２４】
ここで、テープ状のシール材１３としては、接合部の変形に対する追従性に優れ、振動吸収性に優れ、剥離強度が高く、耐水性に優れる等の特性を有するものであれば良く、例えば、住友スリーエム（株）製の「３ＭＶＨＢテープ」（商品名）等が挙げられるが、これに限定することなく、同様の特性を有するものであれば良い。
【００２５】
前述したパネル１０、フレーム５、梁材８、及びトラス材９は、既設の建築物に設置されているエレベータ、作業用のゴンドラ等で運搬可能な大きさ、重量に設定される。パネル１０としては、例えば、大きさ；１ｍ×１ｍ、厚み；３ｍｍのステンレス板、大きさ；５０ｃｍ×５０ｃｍ、厚み；３ｍｍのステンレス板、大きさが同じで厚みが９ｍｍのＦＲＰ板等を用いることができる。
【００２６】
そして、上記のように構成したこの実施の形態によるパネル分割型流体式制振装置１を既設の高層建築物の頂上部に設置するには、水槽２の構成部品（パネル１０、フレーム５、梁材８、トラス材９、及びシール材１２、１３）を、部品のままの状態で既設の建築物に設置されているエレベータ、作業用のゴンドラ等を利用して建築物の頂上部に運搬し、それらを頂上部においてボルト・ナット１５等を用いて組み立て、頂上部に水槽２を設置し、水槽２内に所定量の水を充填すれば良い。
【００２７】
そして、強風時、地震発生時等に建築物に振動が生じると、その振動に追従してパネル分割型流体式制振装置１の水槽２内の水が流体運動を行い、この流体運動に対して水の両端部に位置している空気層が開放又は空気ばねとして作用し、建築物に生じる振動が抑制されることになる。
【００２８】
上記のように構成したこの実施の形態によるパネル分割型流体式制振装置１にあっては、水槽２を、パネル１０、フレーム５、梁材８、トラス材９、及びシール材１２、１３等の部品によって構成し、これらの部品を建築物の既設のエレベータ、作業用のゴンドラ等で運搬可能な大きさ、重量に設定しているので、それらの部品を既設の建築物に設置されているエレベータ、作業用のゴンドラ等を利用して頂上部に運搬し、頂上部において組み立て、設置することができることになる。従って、従来は設置が不可能であった既設の建築物であっても設置が可能となる。
【００２９】
また、組み立ての際に、溶接作業が不要であるので、作業に熟練が不要となり、経験の浅い作業者であっても、組立作業を行うことができ、設置費用を安く抑えることができる。
【００３０】
さらに、構成部品同士をボルト・ナット１５により連結しているので、部分的な修復が可能となり、不具合箇所を最小限の単位で修復することができることになる。
【００３１】
さらに、水平部骨組み４及び立ち上り部骨組み７によって水槽２全体を補強することができるので、水槽２の板厚を従来のものに比べてに薄くすることができ、水槽２全体の重量を従来のものよりも大幅に軽くすることができ、水槽２を支持する建築物の頂上部の補強を簡素化、又は省略することが可能となる。
【００３２】
図４には、本発明によるパネル分割型流体式制振装置の第２の実施の形態が示されていて、このパネル分割型流体式制振装置２０は、水槽２１を、前記第１の実施の形態に示すものと同様の構成のＵ型状の水槽２を２つ用い、それらの水平部３、３同士を互いに交差させて、交差部において両水槽２、２の水平部３、３同士を互いに連通させ、４隅に隣接する水平部３、３間にそれらの間を相互に連通させる連通部２２を設けて構成したものである。この構成においては、Ｘ，Ｙ２方向の制振が可能である。
【００３３】
なお、図中、２３は水槽２１内へ水を供給する給水配管、２４は水槽２１内から水を排出させる排水配管、飲料水、雑水、非常用水、消火用水等の連結・送水管であり、これらはタンク下部に設けても良い。２５は、水槽２１内の水位を計測する水位計を示し、各連通部２２は飲料水用供給用の水槽として機能している。
【００３４】
各水平部３は、前記第１の実施の形態に示すものと同様に、補強部材であるフレーム５（Ｌ形鋼、Ｉ形鋼等）を格子状に組み合わせて水平部骨組み４を形成し、この水平部骨組み４の隣接するフレーム５、５によって囲まれる部分にそれぞれ板状のパネル１０を嵌め込み、各パネル１０を図２又は図３に示すボルト・ナット１５によりフレーム５側に固定して構成している。
【００３５】
また、立ち上り部６も、各水平部骨組み４の両端部に補強部材であるフレーム５（Ｌ形鋼、Ｉ形鋼等）を格子状に組み合わせて立ち上り部骨組７みを形成し、この立ち上り部骨組み７の隣接するフレーム５、５によって囲まれる部分にそれぞれ板状のパネル１０を嵌め込み、各パネル１０を図２又は図３に示すボルト・ナット１５によりフレーム５側に固定して構成している。
【００３６】
この実施の形態においては、４つの立ち上り部６、６、６、６の上端間に、鋼板からなる補強部材である梁材８が水平に架設され、この梁材８の内外縁部には手摺２６が立設されている。この梁材８と各連通部２２の上端との間には、Ｌ形鋼、Ｉ形鋼等からなる補強部材であるフレーム５が架設され、このフレーム５とそれに隣接する立ち上り部６との間には、Ｌ形鋼、Ｉ形鋼等からなる補強部材であるフレーム５が水平に架設されている。そして、これらの梁材８、手摺２６、及びフレーム５によって４つの立ち上り部６、６、６、６が補強され、４つの立ち上り部６、６、６、６が外に広がったり、内に狭まったりするのが防止される。なお、梁材８は、保守、点検、整備の通路としても機能している。
【００３７】
各水平部骨組み４及び各立ち上り部骨組み７を構成するフレーム５は、前記第１の実施の形態に示すものと同様に、複数に分割され、隣接するもの同士がボルト・ナット（図示せず）により一体に連結されている。
【００３８】
各パネル１０をフレーム５に連結するには、フレーム５にＩ形鋼を用いた場合には、図２に示すように、Ｉ形鋼からなるフレーム５、５間にパネル１０を嵌め込み、パネル１０とフレーム５との間にシール材であるゴム状弾性体からなるパッキン１２を介装させ、パネル１０をボルト・ナット１５によりフレーム５側に固定する。この場合、パネル１０、１０間の接合部の内面側にテープ状のシール材１３を貼着し、パネル１０間の接合部をパッキン１２とテープ状のシール材１３とにより二重にシールし、水槽２内の水が接合部から外部に漏れるのを完全に防止する。
【００３９】
また、フレーム５にＬ形鋼を用いた場合には、図３に示すように、各パネル１０の周囲に外方に突出するフランジ１１を一体に設け、隣接するパネル１０のフランジ１１同士を互いに重ね合わせ、この状態で両フランジ１１、１１をボルト・ナット１５によりフレーム５に固定する。この場合、両フランジ１１、１１間にシール材であるゴム状弾性体からなるパッキン１２を介装させ、パネル１０間の接合部の内面側にテープ状のシール材１３を貼着し、水槽２内の水が接合部から外部に漏れるのを完全に防止する。
【００４０】
そして、この実施の形態においても、テープ状のシール材１３としては、接合部の変形に対する追従性に優れ、振動吸収性に優れ、剥離強度が高く、耐水性に優れる等の特性を有するものであれば良く、例えば、住友スリーエム（株）製の「３ＭＶＨＢテープ」（商品名）等が挙げられるが、これに限定することなく、同様の特性を有するものであれば良い。
【００４１】
そして、この実施の形態においても、パネル１０、フレーム５、梁材８等の部品は、既設の建築物に設置されているエレベータ、作業用のゴンドラ等で運搬可能な大きさ、重量に設定される。パネル１０としては、例えば、大きさ；１ｍ×１ｍ、厚み；３ｍｍのステンレス板、大きさ；５０ｃｍ×５０ｃｍ、厚み；３ｍｍのステンレス板、大きさが同じで厚みが９ｍｍのＦＲＰ板等を用いることができる。
【００４２】
上記のように構成した実施の形態によるパネル分割型流体式制振装置２０にあっては、前記第１の実施の形態に示すものと同様に、水槽２１を、パネル１０、フレーム５、梁材８、及びシール材１２等の部品によって構成し、これらの部品を建築物の既設のエレベータ、作業用のゴンドラ等で運搬可能な大きさ、重量に設定しているので、それらの部品を既設の建築物に設置されているエレベータ、作業用のゴンドラ等を利用して頂上部に運搬し、頂上部において組み立て、設置することができることになる。従って、従来は設置が不可能であった既設の建築物であっても設置が可能となる。
【００４３】
また、組み立ての際に、溶接作業が不要であるので、作業に熟練が不要となり、経験の浅い作業者であっても、組立作業を行うことができ、設置費用を安く抑えることができる。
【００４４】
さらに、構成部品同士をボルト・ナットにより連結しているので、部分的な修復が可能となるので、不具合箇所を最小限の単位で修復することができることになる。
【００４５】
さらに、水平部骨組み４及び立ち上り部骨組み７によって水槽２１全体を補強することができるので、水槽２１の板厚を従来のものに比べてに薄くすることができ、水槽２１全体の重量を従来のものよりも大幅に軽くすることができ、水槽２１を支持する建築物の頂上部の補強を簡素化、又は省略することが可能となる。
【００４６】
なお、前記の各実施の形態において、水槽内に、補強部材として柱又は斜材、引張材を含むステーを設けるようにしてもよい。
このように構成することにより水槽が柱又はステーによって補強され、該水槽の剛性が高められるため、水槽の内部において水が流体運動を行う際に、水槽の変形が抑えられ、所望の制振特性が確実に得られることになる。
また、前記の各実施の形態においては、水槽内に充填した水を制振用又は飲料用として使用しているが、消火用等として利用しても良い。さらに、前記の各実施の形態においては、この発明によるパネル分割型流体式制振装置を建築物の頂上部に設置しているが、船等に設置しても良いものであり、その場合にも同様の作用効果を奏するのは勿論のことである。
【００４７】
【発明の効果】
以上、説明したように、本発明による請求項１に記載のパネル分割型流体式制振装置によれば、水槽は、複数のパネルを組み合わせて構成されることになるので、既設の建築物の頂上部に設置する場合に、水槽を複数のパネルに分解した状態で既設のエレベータ等を利用して頂上部に運搬し、頂上部において複数のパネルを組み合わせることにより、頂上部に水槽を設置することができる。従って、従来は設置が不可能であった既設の建築物の頂上部にも設置することが可能となる。さらに、部分的な修理が可能となるので、不具合箇所を最小限単位で修復することが可能となる。
【００４８】
また、請求項２に記載のパネル分割型流体式制振装置によれば、複数のパネルを組み合わせて構成される水槽は、補強部材によって剛性が高められることになるので、建築物に生じる振動に追従して水槽内の水が流体運動を行う際に、その流体運動によって水槽が変形するようなことはなく、所望の制振性能が確実に得られることになる。また、補強部材によってパネルを補強することができるので、パネルの厚みを薄くすることができ、水槽全体としての重量を軽くすることができることになる。従って、建築物に対する重量の負担が軽減されることになるので、建築物の設置箇所の補強を簡素化又は省略できることになり、設置費用を低減させることが可能となる。
【００４９】
さらに、請求項３に記載のパネル分割型流体式制振装置によれば、複数のパネルを組み合わせて構成される水槽は、隣接するパネル間の接合に設けられるフレームによって補強され、剛性が高められることになることになるので、建築物に生じる振動に追従して水槽内の水が流体運動を行う際に、その流体運動によって水槽が変形するようなことはなく、所望の制振性能が確実に得られることになる。また、フレームによってパネルを補強することができるので、パネルの厚みを薄くすることができ、水槽全体としての重量を軽くすることができることになる。従って、建築物に対する重量の負担が軽減されることになるので、建築物の設置箇所の補強を簡素化又は省略できることになり、設置費用を低減させることが可能となる。
【００５０】
さらに、請求項４に記載のパネル分割型流体式制振装置によれば、複数のパネルを組み合わせて構成される水槽は、水槽の上端部間を水平方向に連結する梁材によって補強され、剛性が高められることになるので、水槽の内部において水が流体運動を行う際に、水槽の上端部間が外に広がったり、内に狭まったりするようなことはなく、所望の制振特性が確実に得られることになる。
また、請求項５に記載のパネル分割型流体式制振装置によれば、水槽が柱又はステーによって補強され、該水槽の剛性が高められるため、水槽の内部において水が流体運動を行う際に、水槽の変形が抑えられ、所望の制振特性が確実に得られることになる。
【００５１】
さらに、請求項６に記載のパネル分割型流体式制振装置によれば、複数のパネルを組み合わせて構成される水槽は、水槽の上端部間を斜め方向に連結するトラス材によって補強され、剛性が高められることになるので、水槽の内部において水が流体運動を行う際に、水槽の上端部間が外に広がったり、内に狭まったりするようなことはなく、所望の制振特性が確実に得られることになる。
【００５２】
さらに、請求項７に記載のパネル分割型流体式制振装置によれば、水槽を補強するフレーム、梁材、及びトラス材は、複数に分割されることになるので、それらの運搬が容易となり、既設の建築物に設置されているエレベータ等で運搬することが可能となる。従って、従来設置が不可能であった既設の建築物であっても設置することが可能となる。
【００５３】
さらに、請求項８に記載のパネル分割型流体式制振装置によれば、複数のパネルを組み合わせて構成される水槽の隣接するパネル間は、それらの間に設けられるシール材によってシールされ、水槽の内部に充填される水が外部に漏れるのを防止できるので、所望の制振特性が確実に得られることになる。
【図面の簡単な説明】
【図１】本発明によるパネル分割型流体式制振装置の第１の実施の形態の全体を示した概略図である。
【図２】本発明によるパネル分割型流体式制振装置のパネル間の接合部の一例を示した説明図である。
【図３】本発明によるパネル分割型流体式制振装置のパネル間の接合部の他の例を示した説明図である。
【図４】本発明によるパネル分割型流体式制振装置の第２の実施の形態の全体を示した概略図である。
【符号の説明】
１、２０　パネル分割型流体式制振装置
２、２１　水槽
３　水平部
５　フレーム
６　立ち上り部
８　梁材
９　トラス材
１０　パネル
１２　シール材（パッキン）
１３　シール材（テープ状シール材）
【図１】
2004132393.tif 000003
【図２】
2004132393.tif 000004
【図３】
2004132393.tif 000005
【図４】
2004132393.tif 000006